(57)【特許請求の範囲】
【請求項１】
外輪（１）と、内輪（２）と、
前記外輪（１）と内輪（２）間に配置され、前記外輪（１）の第１軸受面（４）と内輪（２）の第２軸受面（５）間を転動するとともに、前記内輪（２）の第２軸受面（５）上を相対的に軸線方向に移動自在である円筒形の転動体（３）と、前記外輪（１）に付設されており、前記外輪（１）と内輪（２）によって気密に密閉されている少なくとも１台の潤滑剤貯蔵器（８）とを備えた軸線方向運動および回転運動用のころがり軸受において、
前記潤滑剤貯蔵器（８）の基端は、外輪（１）に形成された環状のラジアル溝（１０）に突起（１１）で係合するとともに、
前記潤滑剤貯蔵器（８）の先端は、第２軸受面（５）に近づくにつれてその横断面が順次拡大する拡大部を有しており、
前記潤滑剤貯蔵器（８）と第２軸受面（５）の間で前記潤滑剤貯蔵器（８）の拡大部に形成された凹部１２に軸線方向に並置されている少なくとも２枚の密着舌片（１３、１４）を備えた封止リング（９）が配設されており、
前記密着舌片（１３、１４）は、前記封止リング（９）と細肉部で接続しており、内輪（２）の第２軸受面（５）に対してオープンになったＶ字形状となって当接することを特徴とするころがり軸受。
【請求項２】
前記潤滑剤貯蔵器（８）は、前記外輪（１）のフランジ（６）に固定されたことを特徴とする請求項１に記載のころがり軸受。
【請求項３】
前記潤滑剤貯蔵器（８）は、前記外輪（１）と一体的に接着されていることを特徴とする請求項２に記載のころがり軸受。
【請求項４】
前記潤滑剤貯蔵器（８）は、合成樹脂から構成されたことを特徴とする請求項１〜３の何れか１に記載のころがり軸受。
【発明の詳細な説明】
【０００１】
【発明の属する技術分野】
本発明は、軸線方向運動および回転運動を行うころがり軸受に関するものである。
【０００２】
【従来の技術】
従来より、内輪と外輪の少なくとも片方に、例えばサイドフランジ無しタイプのころがり軸受には転動体の軸上の運動が可能であると云う特徴がある。軸の運動によりその都度少量の潤滑剤がころがり軸受から送り出され、場合によっては、保護剤がころがり軸受中へ送り込まれることもある。
【０００３】
【発明が解決しようとする課題】
しかし、上記した型式のころがり軸受にあっては、軸の運動に伴いその都度少量の潤滑剤がころがり軸受から送り出されたり、保護剤がころがり軸受中へ送り込まれることによってころがり軸受を破損させる場合があった。
【０００４】
本発明は、上記実情に鑑み提案されたもので、回転運動および軸線方向運動を行うせいで、封止リングシステムに対する要求がさまざまであるにもかかわらず、高い信頼性の密閉を達成できるころがり軸受を提供することを目的とする。
【０００５】
【課題を解決するための手段】
上記目的を達成するために、請求項１に記載の発明は、外輪（１）と、内輪（２）と、前記外輪（１）と内輪（２）間に配置され、前記外輪（１）の第１軸受面（４）と内輪（２）の第２軸受面（５）間を転動するとともに、前記内輪（２）の第２軸受面（５）上を相対的に軸線方向に移動自在である円筒形の転動体（３）と、前記外輪（１）に付設されており、前記外輪（１）と内輪（２）によって気密に密閉されている少なくとも１台の潤滑剤貯蔵器（８）とを備えた軸線方向運動および回転運動用のころがり軸受において、前記潤滑剤貯蔵器（８）の基端は、外輪（１）に形成された環状のラジアル溝（１０）に突起（１１）で係合するとともに、前記潤滑剤貯蔵器（８）の先端は、第２軸受面（５）に近づくにつれてその横断面が順次拡大する拡大部を有しており、前記潤滑剤貯蔵器（８）と第２軸受面（５）の間で前記潤滑剤貯蔵器（８）の拡大部に形成された凹部１２に軸線方向に並置されている少なくとも２枚の密着舌片（１３、１４）を備えた封止リング（９）が配設されており、前記密着舌片（１３、１４）は、前記封止リング（９）と細肉部で接続しており、内輪（２）の第２軸受面（５）に対してオープンになったＶ字形状となって当接することを特徴としている。
【０００６】
このような構成としたことによって、ころがり軸受の内部空間を確実に密閉でき、潤滑剤を最適に閉じこめることができる。
【０００７】
また、請求項２に記載の発明において、前記潤滑剤貯蔵器は、前記外輪に固定されていることを特徴とする。
【０００９】
また、請求項３に記載の発明において、前記潤滑剤貯蔵器８は、前記外輪１と一体的に接着されていることを特徴とする。
【００１５】
また、請求項４に記載の発明において、前記潤滑剤貯蔵器は、合成樹脂から構成されたことを特徴とする。
【００１６】
【発明の実施の形態】
以下、一実施の形態を示す図面に基づいて本発明を詳細に説明する。図１は、本発明の一実施の形態を示すころがり軸受の断面図である。本発明に係るころがり軸受の特に好都合とされる実施例では、例えば、ころがり軸受と一緒に押し出し成形されたり、接着されたり、或いは、ころがり軸受の凹み中へ噛み込まれたりして潤滑剤貯蔵器８が外輪１と不動に結ばれていることによって、その外輪１に対する信頼度の高い密閉を達成することができる。凹みは回りを取り囲んでいるラジアル溝として形成することができる。
【００１７】
内輪２の第２軸受面５にこれらの密着舌片１３、１４ができるだけ有効に隣接させると同時に、その内輪２に対して十分な気密が達成されるようにするため、これらの密着舌片１３、１４が第２軸受面５に近づくのにつれて、これらの密着舌片の軸上での隔たりが広がるように位置付けられている。この軸受の内側に面している封止リング９と環状に面している密着舌片が曝されている異なる状況、或いは、軸線方向および回転という異なるタイプの運動に起因して生じる色々な状況を顧慮すると、これらの密着舌片１３、１４はそれぞれ異なる状況に合わせて適正化され、密着舌片１３、１４はそれぞれ等しい形状でなくても良い。
【００１８】
適用のケースに合わせて封止リングはセパレート式の部材として仕上ておくこともでき、また、潤滑剤貯蔵器８の凹み中へ押し付けられているか、或いは代案として、直接その潤滑剤貯蔵器８までその先端を延設しておくことも可能である。
【００１９】
潤滑剤貯蔵器８には潤滑剤が満たされており、これはころがり軸受のその全耐用年数に亘り十分な量の潤滑剤を提供することができる。
【００２０】
１個の外輪１および同じく１個の内輪２並びに、外輪１と内輪２間に配置されており、円筒ローラとして形成されている転動体３が、ころがり軸受に付けられている。これらの転動体３は外輪１の第１軸受面４およぴ内輪２の第２軸受面５上でロールアウトすることから、この外輪１と内輪２は相対的に回転することになる。更に内輪２は、転動体３と相対的に軸方向へ移動することができる。このことは内輪２が２つの異なる態様（実線と一点鎖線）として図ｌ中に図示されていることによって明らかである。
【００２１】
内輪２のその軸上での寸法には限度が設けられていることから、転動体３が内輪２の第２軸受面５から外れないようにするにはその軸線方向の動きも同じく制限しておく必要がある。外輪ｌと相対的に転動体３を軸運動させることは不可能である。なぜならば、外輪１には半径方向を向いているフランジ６が形成されているからである。図示された、この実施例において、ころがり軸受には、個々の転動体３を収納するｌ個の保持器７が更に備えられている。
【００２２】
この外輪ｌの両側にそれぞれｌ個の潤滑剤貯蔵器８が装着されており、これは外輪１に対して気密になっているだけではなく、封止リング９を介して内輪２に対しても気密になっている。このような密閉の詳細について図２と図３中に図示されている。潤滑剤貯蔵器８は、好都合なことに型くずれしない合成樹脂のケーシングからできており、この中へグリースが注入される。
潤滑剤貯蔵器８は、図１〜３から明らかなように外輪（１）の外側に延設されるとともに、内輪２の第２軸受面（５）に近づくにつれて、その横断面が拡大する様に形成されている。このころがり軸受の全耐用年数に亘り十分なだけの注油を提供できるように、この脂分の量と組成に基づいて充填されるグリースの量は決定される。潤滑剤貯蔵器８からころがり軸受の内部までの脂分の送り込みを促進させるため、外輪１からの軸上の距離が長くなるにつれて、それだけ潤滑剤貯蔵器８の内部空間の横断面は先細りしている。
【００２３】
図２は、外輪ｌに潤滑剤貯蔵器８が固定されている範囲における図１の部分拡大図である。図示されている実施例では、外輪１のフランジ６の周りを取り囲んでいるラジアル溝１０がそのフランジ６に付けられており、この中へ潤滑剤貯蔵器８の突起１１が噛み込んでいる。この潤滑剤貯蔵器８は、突起１１の範囲において外側へ引っ張られていることから、潤滑剤貯蔵器８は外輪１に不動に隣接していると同時に、半径方向にも、軸方向にも動かないように安全措置がとられている。
【００２４】
ここに図示されている固定の代案として、潤滑剤貯蔵器８を外輪ｌ中へ押し込んであるか、或いは、この外輪１と接着しておくことも可能である。何れにしても潤滑剤貯蔵器８を力学的に確実に停止させることができるだけではなく、ころがり軸受の内部空間を確実に密閉できるように、この潤滑剤貯蔵器８と外輪１の固定をレイアウトしておく。
【００２５】
図３中には、封止リング９が配置されている範囲内における図ｌの部分拡大断面図である。図示されている実施例では、封止リング９はセパレート部材として構成されており、また、潤滑剤貯蔵器８の周りを取り囲んでいるラジアル状の凹部１２中へ押し込まれている。また、別の案として封止リング９が潤滑剤貯蔵器８までその先端をいっぱいに伸ばしているので、この潤滑剤貯蔵器８と封止リング９は一体形状に構成してもよい。
【００２６】
封止リング９には２枚の密着舌片１３と１４が付けられており、これらはそれぞれ内輪２に対して位置付けられており、また、内輪２の軸受面５と摩擦接触下に置かれている。この密着舌片１３はころがり軸受の内側に面しており、内輪２の第２軸受面５に斜めに当接する。これは、ころがり軸受中に配置されている潤滑剤をできるだけ最適に閉じこめることができるように形作られている。密着舌片１４は軸上で密着舌片１３と位置をずらして配置されており、また、ころがり軸受の環境に面している。
【００２７】
この密着舌片１４は、同じく斜めに内輪２の軸受面５に当接し、また、これがころがり軸愛けの内部への汚物の侵入を阻止することができるように形づくられている。密着舌片１３と密着舌片１４は、反対方向への軸の延長部を向いている。つまり、これらの密着舌片１３と密着舌片１４が共に、内輪２の第２軸受面５に対してオープンになっているＶ字形状を作るように形成されている。
【００２８】
片方の密着舌片のみでは、回転運動中の密閉要求が優先的に顧慮され、もう一方の密着舌片では軸線方向運動中の密閉要求が優先的に顧慮されるように、これらの両密着舌片１３と密着舌片１４を形成することも同様に可能である。密着舌片の材料として特に適しているのは、エラストマー材料である。
【００２９】
本発明の変形例として、外輪ｌと内輪２に備わる機能を変更することができる。つまり、転動体３は外輪１の方へ軸上を移動することができ、また、潤滑剤貯蔵器８は内輪２に取り付けるようにしても良い。
【００３０】
【発明の効果】
この発明は上記した構成からなるので、ころがり軸受の内部空間を確実に密閉することができる。したがって、ころがり軸受内に充填された潤滑剤を最適に閉じこめることができ、長期に亘り安定した運動を確保できる。
【図面の簡単な説明】
【図１】  図１は、本発明の一実施の形態を示すころがり軸受の断面図である。
【図２】  図２は、同ころがり軸受の要部拡大断面図である。
【図３】  図３は、同ころがり軸受の封止リング部を示す要部拡大断面図である。
【符号の説明】
１      外輪
２      内輪
３      転動体
４      第１軸受面
５      第２軸受面
６      フランジ
７      保持器
８      潤滑剤貯蔵器
９      封止リング
１０      ラジアル溝
１１      突起
１２      凹部
１３      密着舌片
１４      密着舌片
【図１】
0003950677.tif 000002
【図２】
0003950677.tif 000003
【図３】
0003950677.tif 000004